(57)【要約】【課題】浴室テレビ１の背面に音響空間３を形成し、防水スピーカ２から発音された音声を発音口３１から特室内へと発音させる浴室テレビでは、浴室内の湿気が音響空間３内に入り、音響空間３の内壁面３０が濡れた状態になる。音響空間３内は通気がよくないので、このように内壁面３０が濡れると長時間濡れたままの状態が継続する。そのため、音響空間３の内壁面にカビが発生し、あるいは雑菌が繁殖する。【解決手段】音響空間３の上部に、音響空間３内に洗剤および洗浄水を導入する導入口３２を設けると共に、この導入口３２から導入された洗剤および洗浄水を上記発音口３１から排出させて、内壁面３０を洗浄する。【選択図】  図３
2014183325.tif 000002
【特許請求の範囲】
【請求項１】
外部に対して液密に封止された空間内に液晶表示部を収納し、浴室の壁面に取り付けられる浴室テレビであって、上記液晶表示部が収納される空間の背面側に、下方に発音口を有する音響空間を備え、液晶表示部が収納された空間側からこの音響空間に対して音声を発音する防水スピーカを取り付け、この音響空間の上部に形成した導入口から洗剤および洗浄水を導入し、導入された洗剤および洗浄水を上記発音口から排出させることにより、音響空間内を洗浄し得るように構成したことを特徴とする浴室テレビ。
【請求項２】
上記導入口と防水スピーカとの間に位置して、導入口から導入された洗剤や洗浄水を水平方向に拡散させて音響空間の内壁面に導く拡散部を、音響空間内に設けたことを特徴とする請求項１に記載の浴室テレビ。
【発明の詳細な説明】
【技術分野】
【０００１】
本発明は、浴室の壁面に取り付けられる浴室テレビに関する。
【背景技術】
【０００２】
浴室内で入浴中にテレビ画像を鑑賞するため、従来より多数の浴室テレビが提案されている。特に近年の浴室テレビでは液晶表示部を用いることにより、浴室テレビの薄型化が図られ、浴室テレビを浴室の壁面に直接取り付けるものが提案されている。
【０００３】
このような浴室テレビとして、中央に液晶表示部を設けると共に、その液晶表示部を挟んで左右にスピーカを配設し、テレビの音声を左右のスピーカから発音させるようにしたものが知られている（例えば、特許文献１参照）。
【先行技術文献】
【特許文献】
【０００４】
【特許文献１】特開２００８−２１９４４７号公報（図２）
【発明の概要】
【発明が解決しようとする課題】
【０００５】
上記従来の浴室テレビでは、左右のスピーカから発音される音声の音質を向上させるため、比較的大型のスピーカボックスを液晶表示部の左右に設け、それらスピーカボックス内にスピーカを設置している。そのため、浴室テレビを正面から見ると、液晶表示部の左右にスピーカが存在するため、浴室テレビの特に左右の寸法が長くなり大型化して、設置場所に制限が生じるなどの弊害が生じる。
【０００６】
このような場合、液晶表示部が収納される空間の背面側に、下方に発音口を有する音響空間を備え、液晶表示部が収納された空間側からこの音響空間に対して音声を発音する防水スピーカを取り付け、発音口から音声を浴室内に流すように構成することにより、浴室テレビの左右の寸法を短くすることが考えられる。
【０００７】
ところが、このように背面側に音響空間を設置した場合、音響空間は発音口を介して浴室内に対して連通しているため、浴室内の湿気が音響空間内に入り、音響空間の内壁面が濡れた状態になる。音響空間内は通気がよくないので、このように内壁面が濡れると長時間濡れたままの状態が継続する。そのため、音響空間の内壁面にカビが発生し、あるいは雑菌が繁殖するおそれが生じる。
【０００８】
なお、音響空間の発音口からブラシなどを挿入しても内壁面を清掃しづらく、また、たとえブラシを挿入したとしても、防水スピーカの振動板をブラシで損傷するおそれもある。
【０００９】
そこで本発明は、上記の問題点に鑑み、音響空間内にカビが発生し、あるいは雑菌が繁殖した場合でも、容易にそれらを除去できる浴室テレビを提供することを課題とする。
【課題を解決するための手段】
【００１０】
上記課題を解決するために本発明による浴室テレビは、外部に対して液密に封止された空間内に液晶表示部を収納し、浴室の壁面に取り付けられる浴室テレビであって、上記液晶表示部が収納される空間の背面側に、下方に発音口を有する音響空間を備え、液晶表示部が収納された空間側からこの音響空間に対して音声を発音する防水スピーカを取り付け、この音響空間の上部に形成した導入口から洗剤および洗浄水を導入し、導入された洗剤および洗浄水を上記発音口から排出させることにより、音響空間内を洗浄し得るように構成したことを特徴とする。
【００１１】
上記構成によれば、音響空間の上部に設けた導入口から洗剤を音響空間内に挿入すれば、その洗剤によってカビや雑菌が除去される。そして、音響空間の内壁面に残留している洗剤は、同じく導入口から導入する湯水などの洗浄水によって洗い流される。そして、内部に導入された洗剤や洗浄水は音響空間の下部に形成した発音口から外部に排出される。
【００１２】
なお、導入された洗剤や洗浄水を効率よく内壁面に到達させるため、上記導入口とスピーカとの間に位置して、導入口から導入された洗剤や洗浄水を水平方向に拡散させて音響空間の内壁面に導く拡散部を、音響空間内に設けてもよい。
【発明の効果】
【００１３】
以上の説明から明らかなように、本発明は、音響空間内に洗剤や洗浄剤を導入して内壁面を洗い流すことができるので、内壁面にカビが発生したり雑菌が繁殖しても、スピーカの振動板を損傷するなどの不具合を生じさせることなく、容易に洗い流すことができる。
【図面の簡単な説明】
【００１４】
【図１】浴室テレビの取り付け状態を示す図
【図２】スピーカネットを外した状態を示す図
【図３】スピーカボックスの内部を示すIII-III断面図
【図４】拡散部を示すIV-IV断面図
【発明を実施するための形態】
【００１５】
図１を参照して、１は本発明による浴室テレビの一例である。この浴室テレビ１は浴室内の壁面ＢＷに固定されている。合わせて図２を参照して、この浴室テレビ１は固定されている壁面ＢＷとの間の隙間に湯水が入り込まないように、コーキング剤Ｃが塗布されている。
【００１６】
浴室テレビ１の中央には液晶表示ユニットによる画像表示部１１が設けられている。図３を合わせて参照して、液晶表示部１１は浴室に対して液密に封止された空間１２内に収納されており、その空間の正面側に液晶表示部１１が取り付けられている。一方、その空間１２の背面側には防水スピーカ２が取り付けられている。
【００１７】
この空間１２の背面側には左右１対の音響空間３が形成されており、この音響空間３は下部に形成された発音口３１を介して浴室に対して連通している。従って、防水スピーカ２から発音された音声は、音響空間３を通って発音口３１から浴室内へと伝播する。
【００１８】
この音響空間３の上部には導入口３２が形成されており、その導入口３２は蓋板３３によって開閉される。この蓋板３３には下面に板状のブラケット３４が左右１対に形成され、そのブラケット３４から各々外側に突出する軸３５が形成されている。
【００１９】
この軸３５は、音響空間３内に形成された保持板１３の溝１４に係合しており、軸３５が軸１４内を移動しながら回動することにより蓋板３３は後方に大きく揺動して、導入口３２を開口させることができる。
【００２０】
スプレー容器Ｓに入れられた洗剤を開口した導入口３２から音響空間３内に入れると、音響空間３の内壁面３０に沿って洗剤が下方に流れ、内壁面３０を洗浄する。その後、同じく導入口３２から洗浄水である湯水を流し込めば、先に導入した洗剤と共に湯水が発音口３１から排水され、音響空間３内の洗浄が完了する。
【００２１】
更に、導入口３２と防水スピーカ２との間に位置する拡散部４を設けた。この拡散部４は、図４に示すように、後方に延びる拡散板４１と前方に延びる拡散板４２とが交互に噛み合うように形成されており、導入された洗剤や湯水は拡散板４１，４２で一旦堰き止められた後、拡散板４１，４２の先端と内壁面３０との隙間４３から下方へと流れ落ちる。その際、内壁面３０に沿って流れ落ちるので、洗剤や洗浄水は効率よく内壁面３０に付着し、内壁面３０を洗い流すことができる。
【００２２】
なお、その流れ落ちる際に防水スピーカ２を所定の周波数で鳴動させておけば、防水スピーカ２の振動板に付着した洗剤が振動板からはじき飛ばされ、周囲の内壁面３０に洗剤を付着させることができる。
【００２３】
なお、本発明は上記した形態に限定されるものではなく、本発明の要旨を逸脱しない範囲内において種々の変更を加えてもかまわない。
【符号の説明】
【００２４】
１  浴室テレビ
１１  液晶表示部
２  防水スピーカ
３  音響空間
３１  発音口
３２  導入口
４  拡散部
【図１】
2014183325.tif 000003
【図２】
2014183325.tif 000004
【図３】
2014183325.tif 000005
【図４】
2014183325.tif 000006